(57)【要約】【課題】モップの汚れ落とし機能及びモップの脱水機能を備える床板掃除用具を提供する。【解決手段】床板掃除用具は、浸水用バケツのバケツ体内部に踏板の動きを受けて回転する脱水槽及び洗濯棒を設置する。他にモップのモップ雑巾部はハンドル桿と相対して回転する回転盤上に固定する。手でハンドル桿を持ち、モップ雑巾部を浸水用バケツの洗濯棒箇所に入れ、踏板を踏んで洗濯棒を高速で回転させ、洗濯棒が水流を早くするか、もしくは洗濯棒に直接搓洗モップ雑巾部を直接擦り付けてモップの汚れを落とす目的を達成する。更にハンドル桿を手で持ち、モップ雑巾部を浸水用バケツの脱水槽内に入れ、遠心力の作用でモップの水を切る目的を達成する。【選択図】図１
0003153968.tif 000002
【実用新案登録請求の範囲】
【請求項１】
床板掃除用具において、
バケツ体を備え、該バケツ体の一側には踏板を設置し、該バケツ体内部には該踏板の動きを受けて回転する脱水槽及び洗濯棒を設置し、そのうち、該浸水用バケツの踏板はチェーンとプロケットで相互に連結し、該スプロケットは該バケツ体底盤の第一回転軸上に軸設し、該第一回転軸には別にメイン回転ギアを設置し、該スプロケットはラチェット形態で該第一回転軸箇所に軸設し、第一回転軸と該メイン回転ギアを特定方向へ回転させ、該脱水槽及び該洗濯棒は、それぞれ該バケツ体底盤箇所に差し込む第二回転軸及び第三回転軸を備え、該第二回転軸及び該第三回転軸には追動ギアを設置してそれを該メイン回転ギアと相互に噛み合わせ、且つ該踏板にはバネを設置して常態時に上位で留まる浸水用バケツと、
ハンドル桿を備え、該ハンドル桿の底端に該ハンドル桿と相対して回転及び稼動する回転盤を軸設し、該回転盤でモップ雑巾部を固定するのに用いるモップを含むことを特徴とする床板掃除用具。
【請求項２】
前記浸水用バケツのバケツ体は、底部に複数の回転輪を設置し、各該回転輪と該バケツ体の間はバネを設置し、各該回転輪に浮動効果を形成し、該バケツ体の外部にはハンドル掛合部を設置し、該モップのハンドル桿の最上端には凸フックを設置し、該凸フックで該バケツ体のハンドル掛合部と掛合させる作用を備えることを特徴とする請求項１記載の床板掃除用具。
【請求項３】
前記浸水用バケツのバケツ体は、底部に複数の回転する球体を設置し、該回転体は固定部品及びカバー体によって該バケツ体と固定し、そのうち該カバー体は可動式で該バケツ体底部に予め設置した固定孔内に差し込み、該カバー体内に停止部を設置して該固定部品を固定し、該固定部品一端は凹部によって該回転体を固定し、別端はバネ内に嵌め込み、各該回転体を浮動させることを特徴とする請求項１記載の床板掃除用具。
【請求項４】
前記浸水用バケツのバケツ体は、開口箇所に二枚の相対して合わさる蓋板を設置し、該二枚の蓋板の洗濯棒及び脱水槽に相対する位置には欠切口を成形してそこにモップのハンドル桿を入れることを特徴とする請求項１記載の床板掃除用具。
【請求項５】
前記床板掃除用具は、複数のモップ雑巾部を固定板上に固定し、次に一組の固定板で該回転盤底部に設置し、該固定板は複数の雑巾部穿孔を設置して、そこにモップ雑巾部を植え込み、且つ該雑巾部穿孔の周囲には複数の錐形体を設置してモップ雑巾部を固定することを特徴とする請求項１記載の床板掃除用具。
【請求項６】
前記床板掃除用具は、複数のモップ雑巾部を固定板上に固定し、次に多数組の固定板で該回転盤底部に設置し、該固定板は複数の雑巾部穿孔を設置して、そこにモップ雑巾部を植え込み、且つ該雑巾部穿孔の周囲には複数の錐形体を設置してモップ雑巾部を固定することを特徴とする請求項１記載の床板掃除用具。
【請求項７】
前記固定板と該回転盤の間には、相互に掛合する掛合部を設置することを特徴とする請求項５もしくは６記載の床板掃除用具。
【請求項８】
前記回転盤は、枢設回転体、盤体及びガスケットを設置し、該枢設回転体の上方はハンドル桿の底端に枢設し、該枢設回転体はガスケットで該盤体上に固定し、そのうち，該枢設回転体と盤体の間には更に少なくとも一円体を設置し、該盤体には円形レールを設置し、該円体を該円形レール内で回転運動させ、該枢設回転体と盤体を相対して回転させることを特徴とする請求項１記載の床板掃除用具。
【考案の詳細な説明】
【技術分野】
【０００１】
本考案は、床板掃除用具に関するもので、特にモップ及び浸水槽をセットで使用する床板掃除用具に係る。
【背景技術】
【０００２】
モップは、現在、一般に使用されている最も普遍的な床板掃除用具の一つであり、拭いた効果も最良であり、また何度も洗って使用することができるので、床掃除には広く用いられている。モップで床を拭く過程に於いて、途中何度もモップを洗うことで、モップの機能を維持することができる。但し、水を取り替える不便があり(特に広い場所での床掃除の場合)，一般にモップで床を掃除する時、大抵傍に浸水用バケツを用意し随時モップを浸水用バケツに入れて何度も使えるようにしておき、モップの汚れを落とす。
【０００３】
モップは濡らした後、乾かすのが好ましく、それによって以後も良好な状態で使用できる。そのため、市場では脱水槽を備えた浸水用バケツ構造が出ている。該浸水用バケツとセットのモップは、モップ雑巾部をハンドル桿と相対して回転させる回転盤上に固定し、手でハンドル桿を持ち、モップ雑巾部を脱水槽内に入れ、次に踏板で脱水槽を動かしてモップ雑巾部を高速で回転させ、その遠心力の作用でモップを乾かす。
【考案の概要】
【考案が解決しようとする課題】
【０００４】
解決しようとする問題点は、類似の公知の床板掃除用具の浸水用バケツは、モップを乾かすための脱水機能を備えているものの、その本体は、モップを洗う手段に対しては進んでおらず、ただ上下に反復移動してモップを洗う方式でモップの汚れを落とすようになっているが、汚れ落とし効果は有限である点である。
【課題を解決するための手段】
【０００５】
本考案は、浸水用バケツのバケツ体内部に踏板の動きを受けて回転する脱水槽及び洗濯棒を設置する。他にモップのモップ雑巾部はハンドル桿と相対して回転する回転盤上に固定する。手でハンドル桿を持ち、モップ雑巾部を浸水用バケツの洗濯棒箇所に入れ、踏板を踏んで洗濯棒を高速で回転させ、洗濯棒が水流を早くするか、もしくは洗濯棒に直接搓洗モップ雑巾部を直接擦り付けてモップの汚れを落とす目的を達成する。更にハンドル桿を手で持ち、モップ雑巾部を浸水用バケツの脱水槽内に入れ、遠心力の作用でモップの水を切る目的を達成することを最も主要な特徴とする。
【考案の効果】
【０００６】
本考案の床板掃除用具は、モップの汚れ落とし機能及びモップの脱水機能を備えるという利点がある。
【図面の簡単な説明】
【０００７】
【図１】本考案の床板掃除用具の外観構造図である。
【図２】本考案の浸水用バケツの構造断面図である
【図３】本考案の浸水用バケツの底盤平面構造図である。
【図４】本考案の第一実施例のモップ回転盤構造断面図である。
【図５】本考案の第二実施例のモップ回転盤構造断面図である。
【図６】本考案の固定板の平面構造図である。
【図７Ａ】本考案の固定板の局部拡大指示図である。
【図７Ｂ】本考案の別一実施例内の固定板の示意図である。
【図８Ａ】本考案の回転輪と浸水用バケツの組立構造断面図である。
【図８Ｂ】本考案の球体と浸水用バケツの組立構造断面図である。
【図９】本考案の浸水用バケツのバケツ体開口を蓋板で合わせた状態指示図である。
【図１０】本考案の第三実施例のモップ回転盤構造断面図である。
【図１１】本考案の第三実施例のモップ回転盤構造分解図である。
【考案を実施するための形態】
【０００８】
モップの汚れ落とし機能及びモップの脱水機能を備えた床板掃除用具を提供することを本考案の主な目的とする。
【０００９】
上述の目的を達成するため、本考案の床板掃除用具は浸水槽及びモップを備える。そのうち，該浸水用バケツは、バケツ体内部に踏板の動きを受けて回転する脱水槽及び洗濯棒を設置する。該モップのモップ雑巾部は、回転盤上に固定する。該回転盤はモップのハンドル桿と相対して回転し、手でハンドル桿を持ってモップ雑巾部を浸水用バケツの洗濯棒箇所に入れ、踏板を踏んで洗濯棒を高速で回転させ、洗濯棒で水流を速く動かすか、もしくは洗濯棒にモップ雑巾部を直接擦り付けてモップの汚れを落とす効果を達成する。更に手でハンドル桿を持ち、モップ雑巾部を浸水用バケツの脱水槽に入れ、踏板を踏みながら脱水槽と共にモップ雑巾部を高速で回転させ、遠心力の作用でモップの水を切る目的を達成する。
【００１０】
本考案の次の目的は、浸水用バケツのバケツ体の底部に複数の回転輪、及びバケツ体外部にモップハンドル桿を掛けるハンドル掛合部を設置して浸水用バケツを移動しやすくする。
【００１１】
本考案の更に別の目的は、浸水用バケツのバケツ体の開口箇所に二枚の相対して合わさる蓋板を設置し、二枚の蓋板は、洗濯棒及び脱水槽に相対する位置に欠切口を設置してモップのハンドル桿を入れ、モップを洗ったり脱水時に二枚蓋板を被せて浸水用バケツの汚水が撥ねたりするのを防止する。
【実施例】
【００１２】
本考案の特徴を本考案の図式及び実施例を挙げて詳細に説明する。
【００１３】
図１から図３に示すとおり、本考案の床板掃除用具は浸水槽１０及びモップ２０を含む。そのうち、
【００１４】
該浸水用バケツ１０はバケツ体１１を備えて、そこに水もしくは洗浄液を入れる。該バケツ体１１の一側には踏板１２を設置し、該バケツ体１１内部には該踏板１２の動きを受けて回転する脱水槽１３及び洗濯棒１４を設置する。
【００１５】
該モップ２０は、使用者が握るためのハンドル桿２１を備え、該ハンドル桿２１の底端には回転盤２２を軸設する。図４に示すとおり、該回転盤２２は該ハンドル桿２１と相対して回転及び稼動し、該回転盤２２はモップのモップ雑巾部２３を固定するのに用いられる。
【００１６】
具体的に実施する時、図４及び図５に示すとおり、先ず複数のモップ雑巾部２３を固定板２３１上に固定する。次に一組もしくは多数組の固定板２３１で該回転盤２２底部に設置する。更に図１０Ａ、Ｂに示すとおり、該回転盤２２にも枢設回転体２２２、盤体２２３及びガスケット２２４を設置し、該枢設回転体２２２上方はハンドル桿２１の底端に枢設し、該枢設回転体２２２はガスケット２２４によって該盤体２２３上に固定される。そのうち，該枢設回転体２２２と盤体２２３間には更に少なくとも一円体２２５を設置し、該盤体２２３は円形レール２２６を設置して該円体２２５を該円形レール２２６内に設置することで回転運動し、該枢設回転体２２２と盤体２２３を相対して回転させる。
【００１７】
図６及び図７Ａに示すとおり、該固定板２３１は複数の雑巾部穿孔２３２を穿設してそこにモップ雑巾部２３を植え込み、且つ該固定板２３１と該回転盤２２の間には相互に掛合する掛合部２３３、２２１を設置して固定板２３１と回転盤２２を結合する。
【００１８】
更に図７Ｂに示すとおり、該固定板２３１は複数の雑巾部穿孔２３２を設置して、そこにモップ雑巾部２３を植え込み、該複数の雑巾部穿孔２３２周囲には複数の錐形体２３４を設置することで、該モップ雑巾部２３を雑巾部穿孔２３２に植え込んだ時、該複数の錐形体２３４によって固定補強される。
【００１９】
更に図２及び図３に示すとおり、上述の浸水用バケツ１０の踏板１２はチェーン１２１とスプロケット１２２によって相互に連結され、該スプロケット１２２は該バケツ体１１底盤の第一回転軸１１１上に軸設され、該第一回転軸１１１上には別にメイン回転ギア１１２が設置され、該スプロケット１２２はラチェット形態で、該第一回転軸１１１箇所に軸設し、該第一回転軸１１１と該メイン回転ギア１１２を動かして特定方向に回転させる。
【００２０】
該脱水槽１３及び該洗濯棒１４は、それぞれ該バケツ体１０１底盤箇所に設置した第二回転軸１３１及び第三回転軸１４１を備え、更に該第二回転軸１３１及び該第三回転軸１４１には追動ギア１３２、１４２を設置し、該追動ギア１３２、１４２によって、直接もしくは間接方式で該メイン回転ギア１１２と相互に噛み合い、構成該脱水槽１３及び該洗濯棒１４の該踏板１２との伝動効果を構成する。また、該踏板１２にはバネ１２３を設置して常態時に上位箇所で止まるようにして便利性を更に高める。
【００２１】
本考案の床板掃除用具は、使用時、手でモップのハンドル桿を持ち、モップ雑巾部を浸水用バケツの洗濯棒箇所に入れ、足で踏板を動かしながら洗濯棒を高速で回転させ、洗濯棒によって高速水流を発生させるか、もしくは洗濯棒に直接モップ雑巾部を擦り付けることで、モップの汚れを落とす効果を達成する。及び手でモップのハンドル桿を持ち、モップ雑巾部を浸水用バケツの脱水槽内に入れ、足で踏板を動かしながら、脱水槽をモップ雑巾部と共に高速で回転させ、遠心力の作用でモップの水分を取り去る目的を達成する。
【００２２】
本考案の床板掃除用具は更に該浸水用バケツ１０のバケツ体１１底部に複数の回転輪１５を設置し、更に図１に示すとおり、該バケツ体１１外部にはハンドル掛合部１１３を設置する。別に該モップ２０のハンドル桿２１の最上端には凸フック２１１を設置し、該凸フック２１１でバケツ体１１のハンドル掛合部１１３と掛合作用を構成し、浸水用バケツ１０を移動しやすくする。
【００２３】
図８Ａに示すとおり、上述の各回転輪１５と該バケツ体１１の間にはバネ１６が設置され、各回転輪１５を浮動させる効果を備え、地面が平らでないために浸水用バケツ１０がゆれることを防止し、浸水用バケツ１０に相当量の水が入った時、各回転輪１５が自動的にバケツ体１１底部に縮小して入り込み、浸水用バケツ１０の安定度を高める。また、必要な場合には回転輪１５を取り外す。
【００２４】
図８Ｂに示すとおり、該浸水用バケツ１０のバケツ体１１底部に複数の回る回転体１９を設置してもよい。該回転体１９は固定部品１８及び一カバー体２６によって該バケツ体１１を固定する。そのうち該カバー体２６は可動式で該バケツ体１１底部に予め設置した固定孔１１４内に差し込み、該固定部品１８は該カバー体２６内に設置し、且つ該カバー体２６内には停止部２６１を設置して該固定部品１８を固定し、該固定部品１８が緩むのを防止する。該固定部品１８一端は、凹部１８１によって該回転体１９を固定し、別一端はバネ１６内に嵌合し、該回転体１９を凹部１８１内で回転させ、浸水用バケツ１０を移動させ、バネ１６の作用によって球体１９は浮動效果を備える。
【００２５】
更に本考案の床板掃除用具は図９に示すとおり、浸水用バケツ１０のバケツ体１１の開口箇所に二片が相対して合わさる蓋板１７を設置する。該二枚の蓋板１７は、洗濯棒及び脱水槽に相対する位置には欠切口１７１を成形し、そこにモップのハンドル桿を入れると、モップを洗ったり、脱水したりする時に、二片の蓋板１７が被さっているので、浸水用バケツから汚れた水が撥ねるのを防止する。
【００２６】
上述に示すとおり、本考案は良好な床板掃除用具を提供し、実用新案を請求する。本考案の技術内容及び技術の特徴は既に上述のとおりであるが、本考案に習熟した者が本考案に基づき、各種の本考案の精神から乖離しない入替え、修飾を実施するかもしれない。そのため、本考案の保護範囲は、実施例に制限されるものではなく、本考案の入替え及び修飾したものも含み、請求範囲に含まれる。
【符号の説明】
【００２７】
１０        浸水用バケツ
１１        バケツ体
１１１        第一回転軸
１１２        メイン回転ギア
１１３        ハンドル掛合部
１１４        固定孔
１２        踏板
１２１        チェーン
１２２        スプロケット
１２３        バネ
１３        脱水槽
１３１        第二回転軸
１３２        追動ギア
１４        洗濯棒
１４１        第三回転軸
１４２        追動ギア
１５        回転輪
１６        バネ
１７        蓋板
１７１        欠切口
１８        固定部品
１８１        凹部
１９        回転体
２０        モップ
２１        ハンドル桿
２１１        凸フック
２２        回転盤
２２１        掛合部
２２２        枢設回転体
２２３        盤体
２２４        ガスケット
２２５        円体
２２６        円形レール
２３        モップ雑巾部
２３１        固定板
２３２        雑巾部穿孔
２３３        掛合部
２３４        錐形体
２６        カバー体
２６１        停止部
【図１】
0003153968.tif 000003
【図２】
0003153968.tif 000004
【図３】
0003153968.tif 000005
【図４】
0003153968.tif 000006
【図５】
0003153968.tif 000007
【図６】
0003153968.tif 000008
【図７Ａ】
0003153968.tif 000009
【図７Ｂ】
0003153968.tif 000010
【図８Ａ】
0003153968.tif 000011
【図８Ｂ】
0003153968.tif 000012
【図９】
0003153968.tif 000013
【図１０】
0003153968.tif 000014
【図１１】
0003153968.tif 000015